(57)【要約】【課題】  計器に接続された電源側ケーブルと負荷側ケーブルとを短絡させて無停電で計器を交換するために使用されるバイパス装置において、ケーブルクランプ部の電気的な接触をより確実に確保することができる無停電工具を提供する。【解決手段】  電源側ケーブルや負荷側ケーブルに使用されている絶縁被覆ケーブルをバイパスケーブルと電気的に接続するケーブルクランプをクランプ本体２とクランプネジ４で構成した。クランプネジ４の先端に環状刃部５を形成し、これにより絶縁被覆ケーブル６の絶縁被覆１１を押し切ると同時に導電体１２とバイパスケーブル１を電気的に接続している。クランプネジ４には、環状刃部孔１３と貫通孔１４を形成し、クランプの際に発生する絶縁被覆ケーブルの絶縁被覆屑をこれらの孔を通してクランプネジ４のネジ頭部８から順次排出することにより、良好な電気的接続および機械的保持力を実現している。【選択図】図２
2010217155.tif 000002
【特許請求の範囲】
【請求項１】
計器に接続された電源側ケーブルと負荷側ケーブルとを短絡させて無停電で計器を交換するために使用される無停電工具であって、前記ケーブルの絶縁被覆を押し切ってケーブル内の芯線に接続されるクランプネジを備えた無停電工具において、前記クランプネジの先端に形成された環状の刃部の内側に形成された孔がネジを軸方向に貫通していることを特徴とする無停電工具。
【請求項２】
前記無停電工具の環状の刃部の内側に形成された孔の内径よりもネジの貫通部分の孔の内径が大きいことを特徴とする請求項１に記載の無停電工具。
【発明の詳細な説明】
【技術分野】
【０００１】  本発明は、負荷を停電させることなく電力量計等を取り替える際に使用する無停電工具に関し、特に、電源側ケーブル、負荷側ケーブルに接続されるクランプネジを備えた無停電工具に関する。
【背景技術】
【０００２】  家庭や工場などで使用されている電力量計の交換方法として、電源側ケーブルと負荷側ケーブルの間にバイパス装置を挿入することにより、電力量計の電源側と負荷側を電気的に接続した状態で電力量計を新しいものと交換する方法が、無停電で電力量計を交換できることから広く採用されている。【０００３】  前記バイパス装置のケーブルクランプとしては、例えば特許文献１〜３が開示するような手法が用いられている。特許文献１が開示するケーブルクランプ構造は、電源側ケーブルあるいは負荷側ケーブルに係合するフック部を有するクランプ本体と、フック部に対面させてクランプ本体に螺合した導電性材料からなるクランプネジであって、先端部に先鋭部を形成したクランプネジを備えている。この先鋭部が電力量計に接続された絶縁被覆ケーブルに食い込んで、ケーブルとバイパス装置を電気的に接続するものである。【０００４】  特許文献２が開示するケーブルクランプ構造は、電源側ケーブルあるいは負荷側ケーブルに係合するフック部を有するクランプ本体と、フック部に対面させてクランプ本体に螺合した導電性材料からなる金属製シャフトであって、フック部内側と金属製シャフトの先端部に導電性材料からなる平刃を備えている。これらの平刃が電力量計に接続された絶縁被覆ケーブルに食い込んで、ケーブルとバイパス装置を電気的に接続するものである。【０００５】  特許文献３が開示するケーブルクランプ構造は、電源側ケーブルおよび負荷側ケーブルを挿通可能な溝部を有するクランプ本体と、溝部に対面させてクランプ本体に螺合した導電性材料からなるクランプネジであって、先端部に環状刃部を形成したクランプネジを備えている。この環状刃部が電力量計に接続された絶縁被覆ケーブルに食い込んで、ケーブルとバイパス装置を電気的に接続するものである。
【先行技術文献】
【特許文献】
【０００６】
【特許文献１】特開２００２−１８４４８２号公報
【特許文献２】特開平７−２８４２０９号公報
【特許文献３】特開平１０−７３６１８号公報
【発明の概要】
【発明が解決しようとする課題】
【０００７】  ところが、電力量計の交換作業中にケーブルクランプ部で接触不良が発生すると停電事故にいたってしまう問題がある。特許文献１のように、先端部に先鋭部を形成したクランプネジを使用すると、芯線が撚線で形成される絶縁被覆ケーブルの撚線の隙間にクランプネジを食い込ますことはできるが、交換作業中の振動や電線ケーブルの芯線の撚り戻しにより、先端部と芯線の間で接触不良が発生することがある。【０００８】また、家庭用など電流容量の小さい電力量計では、芯線に単線を使用した絶縁被覆ケーブルが使用されている場合があることから、特許文献１におけるクランプネジの先端が絶縁被覆ケーブルの芯線に食い込まずに接触不良となることがある。【０００９】さらに、工場用など電流容量の大きい電力量計では、絶縁被覆ケーブルの芯線が撚線であっても撚線の１本１本の径が太いことから、単線を使用した場合と同様にクランプネジの先端が絶縁被覆ケーブルの芯線に食い込まずに接触不良となることがある。【００１０】  特許文献２のように、クランプ部に平刃を使用する方法では、絶縁被覆ケーブルに刃を食い込ませる時にケーブルを切断する方向に力が作用するために、ケーブル芯線に傷をつけずに平刃との接触を確保することが難しい。接触不良を恐れて締め付け力を増すと芯線が切断される危険性がある。【００１１】  また、特許文献２における平刃では、平刃と金属製シャフトを個別の部材で形成し、金属製シャフトが回転しても平刃が回転しないような機構が必要であるため、構造が複雑になり耐久性も短くなる。【００１２】  特許文献３のように、クランプネジの先端を環状刃部とした構造では、使用する絶縁被覆ケーブルの芯線が撚線であっても単芯であっても環状刃部が芯線に食い込み、良好な接触を有するが、環状刃部により絶縁被覆が円形に切断されるために、切断された絶縁被覆屑が環状刃部内側の穴部分に詰ってしまうことがある。【００１３】  環状刃部内側の穴部分に詰った絶縁被覆屑を残置すると、次回の接続作業時に残置された絶縁被覆屑が環状刃部の絶縁被覆への食い込みを疎外してクランプネジの環状刃部が絶縁被覆ケーブルに食い込まないため、接触不良を起こす可能性がある。そこで、この絶縁被覆屑を毎作業毎に環状刃部から除去する作業が必要になる。【００１４】  本発明は、バイパス装置のクランプ部の電気的な接触をより確実に確保することができるバイパス装置を提供することを目的としている。
【課題を解決するための手段】
【００１５】  上記課題に鑑み、本発明が提供する無停電工具は、計器に接続された電源側ケーブルと負荷側ケーブルとを短絡させて無停電で計器を交換するために使用される無停電工具であって、前記各ケーブルの絶縁被覆を押し切って各ケーブル内の芯線に接続されるクランプネジを備えた無停電工具において、前記クランプネジの先端に形成された環状の刃部の内側にネジ部を貫通した孔を形成したものである。【００１６】  この構成によれば、環状刃部により絶縁被覆を貫通した際に発生する絶縁被覆屑は、環状刃部の内側に形成した孔によりクランプネジ後方より排出される。【００１７】  また、クランプネジ内部の孔径を環状刃部の内径よりも大きくすることにより、絶縁被覆屑をより円滑に排出することができる。
【発明の効果】
【００１８】  以上のように本発明によれば、クランプネジの環状刃部の内側にネジの軸方向に貫通孔を形成したことにより、クランプネジを締め付けた際に生成する絶縁被覆ケーブルの絶縁被覆屑を貫通孔を通して、ネジ後方より排出できることから、絶縁被覆屑が環状刃部の内側の穴に詰ることにより発生する電気的接続不良や機械的保持力不足を解消することができる。さらには、確実な無停電工事が実現できる。【００１９】  クランプネジ内部の孔径を環状刃部の内径よりも大きくすることにより、絶縁被覆屑はより円滑に排出することができる。
【図面の簡単な説明】
【００２０】
【図１】  本発明に係わる無停電工具の実施形態における斜視図
【図２】  ケーブルクランプの構造図
【図３】  クランプネジの断面図
【発明を実施するための形態】
【００２１】  以下に本発明に係わる一実施形態について図面を参照して述べる。
【実施例】
【００２２】  図１は、実施形態に使用される無停電工具を示している。無停電工具は、電力量計の電源側ケーブルと負荷側ケーブルを接続するためのバイパスケーブル１とケーブルクランプ２で構成され、図２、はケーブルクランプ２の詳細を示している。ケーブルクランプ２は、ケーブルクランプ２本体とクランプネジ４で構成されており、図３にクランプネジ４の断面図を示している。【００２３】  ケーブルクランプ２は、電力量計の電源側ケーブルと負荷側ケーブルに取り付けられるので、なるべく小型で外装が電気的に絶縁されている必要があり、電源側ケーブルや負荷側ケーブルに使用されている絶縁被覆ケーブル６の導電体１２とバイパスケーブル１の電気的接続を確保すると同時に絶縁被覆ケーブル６を機械的に保持する機能を有している。【００２４】  絶縁被覆ケーブル６は、ケーブルクランプ２のフック部３の凹部に導入され、クランプネジ４により固定される。この時、クランプネジ４は、ケーブルクランプ２の端部に形成されたネジ挿通孔７を介してドライバーなどの工具を使用してネジ頭部８が回転され、雌ネジ部９を介して、先端の環状刃部５が回転しながら下降し、絶縁被覆ケーブル６の絶縁被覆１１に食い込む。さらにクランプネジ４を回転させると、環状刃部５は絶縁被覆１１を突き破り導電体１２に到達する。これにより、クランプネジ４と絶縁被覆ケーブル６が電気的に接続される。【００２５】  さらには、クランプネジ４とケーブルクランプ２は、雌ネジ部９により電気的に接続され、ケーブルクランプ２はバイパスケーブル１と固定ネジ１０により電気的に接続されていることから、結果的に絶縁被覆ケーブル６とバイパスケーブル１が電気的に接続される。【００２６】  電力量計の電源側ケーブルおよび負荷側ケーブルのすべてにケーブルクランプ２を取付けてバイパスケーブル１で接続し電力量計を交換する。その後、ケーブルクランプ２とバイパスケーブル１を取り外し、作業を終了する。この間、クランプネジ４の環状刃部は、絶縁被覆ケーブル６の絶縁被覆１１と導電体１２に食い込んでいるので、電力量計取替え作業中に発生する振動や機械的な揺動に対してもクランプネジ４は緩むことがなく、電気的接続を良好に保つことができる。【００２７】  電力量計の交換後にクランプネジ４を緩めて、絶縁被覆ケーブル６からケーブルクランプ２を取り外した時点では、クランプネジ４の先端部に形成された環状刃部５の環状刃部孔１３には、絶縁被覆１１が円形に切断された絶縁被覆屑が残置される。【００２８】  次回の電力量計の交換工事において、絶縁被覆ケーブル６の絶縁被覆１１にクランプネジ４の環状刃部５が食い込む際に、前回の工事で環状刃部孔１３内に残置された絶縁被覆屑は、新たに発生する絶縁被覆屑により環状刃部孔１３の内部を押し上げられる。しかし、この時に環状刃部孔１３は、環状孔１４と連結しているので、残置されていた絶縁被覆屑は、大きな摩擦抵抗を生じることなく環状刃部孔１３から貫通孔１４に順次移動し、最終的にはネジ頭部８より排出される。これにより、環状刃部５と導電体１２の良好な導通が達成される。【００２９】  図３にクランプネジ４の詳細構造を示している。環状刃部孔１３の内径よりも貫通孔１４の��径を大きくしている。これにより、絶縁被覆屑は工事毎に発生する新たな絶縁被覆屑により押されるが、環状刃部孔１３を通過した時点で、貫通孔１４を通してネジ頭部８より順次排出される。これにより絶縁被覆屑による摩擦抵抗は大きく低減される。【００３０】  本実施例では、無停電工具としてケーブルクランプ２を例としたが、クランプがブロック形状に一体となった無停電工具にも適用できる。また、クランプネジ４の材料として実施例ではクロム銅を使用したが、適当な電気伝導性と機械的強度を有する材料であればこれに限定されるものではない。
【符号の説明】
【００３１】  ２  ケーブルクランプ
４  クランプネジ
５  環状刃部
６  絶縁被覆ケーブル
１３  貫通刃部孔
１４  貫通孔
【図１】
2010217155.tif 000003
【図２】
2010217155.tif 000004
【図３】
2010217155.tif 000005